(57)【要約】      （修正有）【課題】内容積の変化を与えることなく簡単に再使用することができ、極めて経済的な紙袋を提供する。【解決手段】紙袋１は、口部２付近の紙袋本体６表面に、開封手段１２を有し、かつ先端に第一接着手段２０を形成した当て紙１０を貼着するとともに、口部２付近の紙袋本体６表面に第二接着手段３０を配設し、もって、口部２を折り曲げて形成された折り曲げ部２ａを当て紙１０が包囲するように折り曲げ、これにより第一の接着手段２０を紙袋本体６側に貼着して、口部２の第一回目の封緘を行うとともに、開封手段１２により当て紙１０を裁断して口部２を開封し、その後、口部２を再び折り曲げて第二の接着手段３０を紙袋本体６側に貼着して口部２を再封緘するようにした。【選択図】  図２
2008074433.tif 000002
【特許請求の範囲】
【請求項１】
紙袋本体の一端部に口部が形成され、他端部が予め密封封緘された紙袋において、
前記口部付近の前記紙袋本体表面に、開封手段を有し、かつ先端に第一接着手段を形成した当て紙を貼着するとともに、
前記口部付近の前記紙袋本体表面に第二接着手段を配設し、
もって、前記口部を折り曲げて形成した折り曲げ部を前記当て紙が包囲するように折り曲げ、これにより前記第一の接着手段を前記紙袋本体側に貼着して、前記口部の第一回目の封緘を行うとともに、
前記開封手段により前記当て紙を裁断して前記口部を開封し、
その後、前記口部を再び折り曲げて前記第二の接着手段を前記紙袋本体側に貼着して前記口部を再封緘するようにしたことを特徴とする再使用可能な紙袋。
【請求項２】
前記開封手段は開封テープであることを特徴とする請求項１に記載の再使用可能な紙袋。
【請求項３】
前記開封手段は前記当て紙に形成されたミシン目であることを特徴とする請求項１に記載の再使用可能な紙袋。
【請求項４】
第一接着手段は前記当て紙の表面に形成したことを特徴とする請求項１に記載の再使用可能な紙袋。
【請求項５】
前記第一接着手段は前記当て紙の裏面に形成したことを特徴とする請求項１に記載の再使用可能な紙袋。
【請求項６】
前記第一接着手段及び第２の接着手段は両面テープからなることを特徴とする請求項１記載の再使用可能な紙袋。
【請求項７】
記第一接着手段及び第２の接着手段はホットシールからなることを特徴とする請求項１記載の再使用可能な紙袋。
【発明の詳細な説明】
【技術分野】
【０００１】
この発明は、一度使用した後に再度口部を簡単に且つ厳重に封緘できるようにした再使用可能な紙袋に関する。
【背景技術】
【０００２】
従来、お茶、穀物、肥料或いは樹脂ペレット等（以下、「内容物」と称する）を入れる紙袋は、口部となる一端部がストレートカットされ、他端部が予め定法により封緘された紙袋を主たる構成要素としている。
【０００３】
そして、口部を封緘する場合は、予め紙袋の口部となる筒状体の表面に塗布あるいは貼着された接着層に、一度乃至二度折り曲げた口部を貼着して当該口部を封緘するものが一般的であった。
【０００４】
そして、口部を開封する場合は、口部付近の筒状体を鋏等の治具を使用して裁断し、その裁断した部分を改めて口部とするとともに、その口部を再度拡開して内容物を取り出すようにしている。
【発明の開示】
【発明が解決しようとする課題】
【０００５】
近年、資源の節約化の観点から製品の繰り返し使用が求められており、この種の紙袋についても例外ではなくなってきている。しかしながら、前述した従来の紙袋の構成では、一度使用した後に紙袋を再度使用する場合は、裁断されて新たに形成された口部を再加工（接着層を新たに形成する等の加工）しなければ再使用（再封緘）することはできない。
【０００６】
すなわち、従来の紙袋では、内容物が充填された後には口部は接着層に強固に接着しているため、この封緘口部を開けるには刃物で切り開くしかなく、もしそのようにして開封すれば、簡単に再封緘することはほとんど困難である。
【０００７】
なお、従来の紙袋の場合、新たに口部となる部分を折り曲げて再封緘すると開封時に筒状体の一部がなくなっているわけだから、その内容積は少なくなっている。  
従って、この種の紙袋を再使用（２度使用）できるようにするには、予め製袋工場で周到な準備、即ち再使用ができるような設計がなされていないと無理なのである。
【０００８】
しかし、従来の紙袋では、本来的に再使用用の思想がないためにそのような構成にはなっておらず、そのためほとんどの場合、焼却処分とされていた。
【０００９】
この発明の目的は、上述した事情に鑑み、一度使用した紙袋を、内容積の変化を与えることなく簡単に再使用できるようにした再使用可能な紙袋を提供することにある。
【課題を解決するための手段】
【００１０】
詳述した課題を解決するため、この発明では、紙袋本体の一端部に口部が形成され、他端部が予め密封封緘された紙袋において、前記口部付近の前記紙袋本体表面に、開封手段を有し、かつ先端に第一接着手段を形成した当て紙を貼着するとともに、前記口部付近の前記紙袋本体表面に第二接着手段を配設し、もって、前記口部を折り曲げて形成した折り曲げ部を前記当て紙が包囲するように折り曲げ、これにより前記第一の接着手段を前記紙袋本体側に貼着して、前記口部の第一回目の封緘を行うとともに、前記開封手段により前記当て紙を裁断して前記口部を開封し、その後、前記口部を再び折り曲げて前記第二の接着手段を前記紙袋本体側に貼着して前記口部を再封緘するようにしている。
【発明の効果】
【００１１】
以上のように、この発明における再使用可能な紙袋によれば、一度使用した紙袋を、内容積の変化を与えることなく簡単に再使用することができ、極めて経済的な紙袋を提供することができる。
【発明を実施するための最良の形態】
【００１２】
以下、この発明に係る再使用可能な紙袋の一実施例を説明する。
【００１３】
図１はこの発明に係る再使用可能な紙袋１（以下、単に「紙袋」と言う）を概念的に示す正面図、図２は図１のＡＡ断面図である。
【００１４】
この紙袋１は、口部２となる一端部３がストレートカットされて開口し、底部４となる他端部５は当て紙等により予め封緘されたひだ付紙袋で、図２に示すように外層の筒状体である紙袋本体６と内層の筒状体７とからなる二層のひだ付紙袋である。
【００１５】
なお、上述した紙袋１を構成する外層の紙袋本体６は、主にクラフト紙等の紙材で構成され、内層の筒状体７は合成樹脂あるいは金属をラミネートした樹脂フィルム等の密封性の良い筒状体で構成されている。
【００１６】
一方、図１及び図２で示すように、前記紙袋１の前記紙袋本体６の表面であって、口部２付近には、当て紙１０がその下端１０ａ側に塗布された接着層１１を介して予め貼着されている。なお、この当て紙１０の上端１０ｂは、紙袋１の口部２とほぼ同一の高さに設定されている。
【００１７】
この当て紙１０には、口部２近傍の位置に当該当て紙をその幅方向に沿って切り裂く開封手段である開封テープ１２が予め設けられており、またこの当て紙上端１０ｂの表面１０ｃには第一の接着手段２０である接着材２１が予め貼着されている。なお、この実施例では上述した第一の接着手段２０である接着材２１は、両面テープにより構成されている。
【００１８】
また、図２で示すように、前記第一の接着手段２０と対向する位置の紙袋本体６の表面には第二の接着手段３０を構成する接着材３１が予め貼着されている。なお、この第二の接着手段３０を構成する接着材３１もこの実施例では両面テープにより構成されている。
【００１９】
次に上述した紙袋１の作用を説明し、併せて構成をより詳細に説明する。
【００２０】
まず、図３で示すように、口部２を左右に拡開し、そこに矢印Ｂで示すように内容物Ｃを充填する。
【００２１】
次に、図４で示すように、口部２を閉塞して、一度折り曲げる。
【００２２】
なお、この折り曲げの際し、予め図３で示す第一の接着手段２０である接着材２１を構成する両面テープの最上面に貼着された剥離紙を予め取り除いておく。
【００２３】
そして、図５に示すように、口部２を二度折り曲げて、第一の接着手段２０である接着材２１を、紙袋１を構成する外層の紙袋本体６の表面側に対向させ、密着させる。
【００２４】
この図５で示すように、紙袋１の口部２を二度折り曲げて、そこに口部２の折り曲げ部２ａを形成し、この折り曲げ部２ａを前記当て紙１０が包囲するように折り曲げることにより、第一の接着手段２０である接着材２１を、紙袋本体６の表面に対向させ、当該接着材２１を紙袋本体６の表面に密着させて貼着すると口部２は厳重に封緘されることとなる。
【００２５】
これにより、紙袋１の第１回目の封緘が完了する。
【００２６】
次に、図５で示す封緘された紙袋１の開封手順を詳述する。
【００２７】
図５で示す当て紙１０に配設された開封テープ１２を、前記当て紙１０の幅方向に沿って引くと、当該開封テープ１２が取り除かれ、これにより図６で示すように当て紙１０が開封テープ１２の部分で裁断される。
【００２８】
これにより、口部２を前記とは逆に折り曲げ戻し、さらに図７で示すように、口部２を再び拡開すると、その中に充填された内容物Ｃを矢印Ｄのように取り出すことができる。
【００２９】
次に、再封緘の手順を説明する。
【００３０】
図７に示す、開封の後、再封緘する場合は、図８で示すように、再び口部２を閉塞し、当該口部２を折り曲げる。なお、口部２の折り曲げ作業を行う際には、予め第二の接着手段３０の接着材３１を構成する両面テープの剥離紙を取り除いておく。
【００３１】
そして、図９に示すように、第二の接着手段３０の接着材３１を紙袋本体６側に対向させて密着させると、当該接着材３１は第一の接着手段２０である接着材２１が裏面に貼着された当て紙１０の表面１０ｃに貼着し、口部２は再び厳重に封緘され、再封緘されることとなる。
【００３２】
なお、この図９に示す再封緘の際には、図７で示す開封の際に、紙袋１の口部２の裁断等は一切行っていないので、紙袋１の内容積は全く変わらないこととなる。
【００３３】
次に、この図９で示す再封緘された紙袋１を開封するには、たとえば鋏等の治具を使用して口部２裁断すれば、図１０で示すように、新たな口部２´が形成され、そこから内容物Ｃを取り出すことができることとなる。
【００３４】
お、上記実施例では、図２で示すように、当て紙１０の表面１０ｃに第一の接着手段２０である接着材２１を予め貼着するようにしたが、この発明は上記実施例に限定されることなく、図２と同一部分を同一符号で示す図１１で示すように、当て紙１０の裏面１０ｄ側に第一の接着手段２０である接着材２１を予め貼着するようにしても良い。
【００３５】
この場合は、第１回目の封緘の際には、図５と同一部分を同一符号で示す図１２で示すように、当て紙１０に配設された第一の接着手段２０である接着材２１を折り曲げ部２ａの下方に位置する紙袋本体６の表面に貼着する。
【００３６】
また、開封テープ１２を使用して、開封した後、再度封緘する際には、図９と同一部分を同一符号で示す図１３で示すように、第二の接着手段３０の接着材３１を紙袋本体６側に対向させ、そのまま紙袋本体の表面に直接密着させて、接着することにより第２回目の封緘が行えることとなる。
【００３７】
なお、上記他の実施例でも、開封手順は前述したのと同様なので、その詳細な説明は省略する。
【００３８】
なお、上記各実施例では、第１および第２の接着材２１，３１を両面テープにより構成したが、この発明は上記実施例に限定されることなく、ホットシール等の接着剤でも良く、また上記実施例では、開封手段を開封テープ１２により構成したがこの発明は上記実施例に限定されることなく、当て紙１０の幅方向に形成したミシン目でもよい。
【００３９】
以上説明したように、この発明の紙袋１では、一度開封して使用した紙袋１を、その内容積の変化を与えることなく簡単に再封緘して再使用することができ、極めて経済的な紙袋を提供することができる。
【産業上の利用可能性】
【００４０】
以上説明したように、この発明の紙袋は、一度使用した紙袋を、内容積の変化を与えることなく簡単に再使用できるようにした再使用可能な紙袋に適している。
【図面の簡単な説明】
【００４１】
【図１】図１はこの発明に係る紙袋の正面図。
【図２】図２は図１のＡＡ断面図。
【図３】図３はこの発明に係る紙袋の作用を示す図。
【図４】図４はこの発明に係る紙袋の作用を示す図。
【図５】図５はこの発明に係る紙袋の作用を示す図。
【図６】図６はこの発明に係る紙袋の作用を示す図。
【図７】図７はこの発明に係る紙袋の作用を示す図。
【図８】図８はこの発明に係る紙袋の作用を示す図。
【図９】図９はこの発明に係る紙袋の作用を示す図。
【図１０】図１０はこの発明に係る紙袋の作用を示す図。
【図１１】図１１は他の実施例を示す図。
【図１２】図１２は他の実施例の作用を示す図。
【図１３】図１３は他の実施例の作用を示す図。
【符号の説明】
【００４２】
１…紙袋
２…口部
２ａ…折り曲げ部
３…一端部
５…他端部
６… 紙袋本体
１０…当て紙
１０ｃ…当て紙表面
１０ｄ…当て紙裏面
１２…（開封テープ）開封手段
２０…第一接着手段
３０…第二接着手段
【図１】
2008074433.tif 000003
【図２】
2008074433.tif 000004
【図３】
2008074433.tif 000005
【図４】
2008074433.tif 000006
【図５】
2008074433.tif 000007
【図６】
2008074433.tif 000008
【図７】
2008074433.tif 000009
【図８】
2008074433.tif 000010
【図９】
2008074433.tif 000011
【図１０】
2008074433.tif 000012
【図１１】
2008074433.tif 000013
【図１２】
2008074433.tif 000014
【図１３】
2008074433.tif 000015